【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
第１の表示手段の表示面に対するタッチ操作を検出する検出手段と、
前記第１の表示手段への表示と、第２の表示手段への表示とを切り替える切替手段と、
前記第１の表示手段に、特定の機能の設定操作を受け付け可能な特定の画面を表示している際に、
前記表示面へのタッチ操作に基づいて前記特定の機能に関して特定の状態に設定し、
前記特定の状態である場合に、前記表示面のうち第１の領域内に対するタッチ操作であるか否かに基づいて、前記第１の領域内に対するタッチ操作に応じて前記特定の状態をキャンセルするように制御し、
前記第２の表示手段に前記特定の画面を表示している際に、
前記表示面へのタッチ操作に基づいて前記特定の状態に設定し、
前記特定の状態である場合に、前記表示面のうち前記第１の領域内に対するタッチ操作であるか否かに関わらず、前記第１の領域よりも広い第２の領域のいずれかの位置に対するタッチ操作に応じて前記特定の状態をキャンセルするように制御する制御手段と
を有することを特徴とする電子機器。
【請求項２】
前記制御手段は、前記第１の表示手段に前記特定の画面を表示しており、前記特定の状態である場合に、前記第１の領域外に対するタッチ操作に応じては前記特定の状態を解除しないことを特徴とする請求項１に記載の電子機器。
【請求項３】
前記制御手段は、前記第１の表示手段に前記特定の画面を表示しており、前記特定の状態である場合に、前記特定の状態をキャンセルするための表示アイテムを前記第１の表示手段に表示するように制御し、
前記第１の領域は、表示アイテムに対するタッチ操作を受け付ける領域であることを特徴とする請求項１または２に記載の電子機器。
【請求項４】
前記第２の領域は、前記検出手段でタッチ操作を検出可能な全領域であることを特徴とする請求項１乃至３のいずれか１項に記載の電子機器。
【請求項５】
前記制御手段は、前記第２の表示手段に前記特定の画面を表示しており、前記特定の状態である場合に、前記表示面へタッチされ、タッチ位置が移動せずに離されたことに応じて前記特定の状態をキャンセルするように制御することを特徴とする請求項１乃至４のいずれか１項に記載の電子機器。
【請求項６】
前記制御手段は、前記第２の表示手段に前記特定の画面を表示しており、前記特定の状態である場合に、前記表示面へタッチされ、タッチ位置が所定量以上移動してから離された場合と、タッチ位置が移動していなくとも所定時間以上タッチが継続してから離された場合の少なくとも一方の場合には、前記特定の状態をキャンセルしないことを特徴とする請求項５に記載の電子機器。
【請求項７】
前記制御手段は、
前記第２の表示手段に前記特定の画面を表示している際に、
前記表示面のうち特定の領域内に対するタッチ操作に応じて前記特定の状態に設定し、前記表示面のうち前記特定の領域外に対するタッチ操作があっても前記特定の状態に設定せず、
前記特定の状態である場合に、前記表示面のうち前記特定の領域内に対するタッチ操作であるか否かに関わらず、前記特定の領域よりも広い前記第２の領域のいずれかの位置に対するタッチ操作に応じて前記特定の状態をキャンセルするように制御することを特徴とする請求項１乃至６のいずれか１項に記載の電子機器。
【請求項８】
前記特定の領域は、前記検出手段でタッチ操作を検出可能な全領域よりも狭い、ユーザー操作によって設定された領域であることを特徴とする請求項７に記載の電子機器。
【請求項９】
前記第２の表示手段は、接眼ファインダを介して視認可能なファインダ内表示部であり、
前記第１の表示手段は、前記接眼ファインダの外部の表示部であることを特徴とする請求項１乃至８のいずれか１項に記載の電子機器。
【請求項１０】
前記特定の機能は、撮像手段を用いた撮影に関する機能であることを特徴とする請求項９に記載の電子機器。
【請求項１１】
前記特定の画面には撮像手段で撮像されているライブビュー画像が表示されており、
前記特定の機能は、前記撮像手段で撮像されているライブビュー画像のうち、追尾対象の被写体を追尾する機能であり、前記特定の状態は前記追尾を実行している実行状態であり、前記特定の状態をキャンセルすると追尾を実行していない停止状態となることを特徴とする請求項１０に記載の電子機器。
【請求項１２】
前記制御手段は、前記第２の表示手段に前記特定の画面を表示している際に、
前記表示面へのタッチ操作のタッチ位置に基づいて追尾対象を指定することを特徴とする請求項１１に記載の電子機器。
【請求項１３】
前記制御手段は、前記第２の表示手段に前記特定の画面を表示している際に、
前記表示面へのタッチ操作があった場合に、追尾対象を指定するための指標をライブビュー画像に重畳して前記第２の表示手段に表示し、該タッチ操作のタッチが離されないままタッチ位置が移動したことに応じて前記指標の表示位置を移動し、該タッチ操作のタッチが離されたことに応じて、前記指標の表示位置の被写体を追尾対象として確定するとともに追尾を開始して前記実行状態とするように制御することを特徴とする請求項１１に記載の電子機器。
【請求項１４】
前記制御手段は、
前記第２の表示手段に前記特定の画面を表示しており、前記実行状態である場合に、前記表示面へタッチされてタッチ位置が移動することなく所定時間以内にタッチが離される操作であるタップに応じて前記実行状態をキャンセルして前記停止状態とし、
前記第２の表示手段に前記特定の画面を表示しており、前記実行状態である場合に、前記表示面に対する前記タップとは異なるタッチ操作が行われると、該異なるタッチ操作のタッチが離されたことに応じて、該異なるタッチ操作でタッチされていた位置に基づいて新たに追尾対象を確定するとともに追尾を開始して前記実行状態とするように制御することを特徴とする請求項１３に記載の電子機器。
【請求項１５】
前記特定の状態は、撮影に関する特定の設定項目をユーザーが指定した設定値に設定した状態であり、
前記制御手段は、
前記第１の表示手段に前記特定の画面を表示している際に、
前記特定の設定項目を、ユーザーが指定した設定値として、前記表示面へのタッチ操作のタッチ位置に基づいた設定値に設定し、
前記特定の設定項目の設定値がユーザーが指定した設定値に設定されている場合に、前記表示面のうち前記第１の領域内に対するタッチ操作であるか否かに基づいて、前記第１の領域内に対するタッチ操作に応じて前記ユーザーが指定した設定値に設定された状態をキャンセルするように制御し、
前記第２の表示手段に前記特定の画面を表示している際に、
前記特定の設定項目を、ユーザーが指定した設定値として、前記表示面へのタッチ操作のタッチ位置に基づいた設定値に設定し、
前記特定の設定項目の設定値がユーザーが指定した設定値に設定されている場合に、前記表示面のうち前記第１の領域内に対するタッチ操作であるか否かに関わらず、前記第１の領域よりも広い前記第２の領域のいずれかの位置に対するタッチ操作に応じて前記ユーザーが指定した設定値に設定された状態をキャンセルするように制御する
ことを特徴とする請求項１０に記載の電子機器。
【請求項１６】
前記制御手段は、
前記第１の表示手段に前記特定の画面を表示しており、前記特定の設定項目の設定値がユーザーが指定した設定値に設定されている場合に、前記第１の領域内に対するタッチ操作に応じて前記ユーザーが指定した設定値に設定された状態をキャンセルして、前記特定の設定項目の設定値が自動的に決められる状態に設定するように制御し、
前記第２の表示手段に前記特定の画面を表示しており、前記特定の設定項目の設定値がユーザーが指定した設定値に設定されている場合に、前記第２の領域のいずれかの位置に対するタッチ操作に応じて前記ユーザーが指定した設定値に設定された状態をキャンセルして、前記特定の設定項目の設定値が自動的に決められる状態に設定するように制御する
ことを特徴とする請求項１５に記載の電子機器。
【請求項１７】
前記測定の設定項目はＩＳＯ感度であることを特徴とする請求項１６に記載の電子機器。
【請求項１８】
操作面に対するタッチ操作を検出する検出手段と、
前記操作面とは異なる位置に表示を行う表示手段に、特定の機能の設定操作を受け付け可能な特定の画面を表示している際に、
前記操作面のうち特定の領域内に対するタッチ操作に応じて、前記特定の機能に関して特定の状態に設定し、前記操作面のうち前記特定の領域外に対するタッチ操作があっても前記特定の状態に設定せず、
前記特定の状態である場合に、前記操作面のうち前記特定の領域内に対するタッチ操作であるか否かに関わらず、前記特定の領域よりも広い前記第２の領域のいずれかの位置に対するタッチ操作に応じて前記特定の状態をキャンセルするように制御する制御手段と
を有することを特徴とする電子機器。
【請求項１９】
前記特定の領域は、前記検出手段でタッチ操作を検出可能な全領域よりも狭い、ユーザー操作によって設定された領域であることを特徴とする請求項１８に記載の電子機器。
【請求項２０】
前記第２の領域は、前記検出手段でタッチ操作を検出可能な全領域であることを特徴とする請求項１８または１９に記載の電子機器。
【請求項２１】
前記表示手段は、接眼ファインダを介して視認可能なファインダ内表示部であり、
前記操作面は、前記接眼ファインダの外部に配置されており、前記表示手段とは異なるタッチパネル表示部の表示面であることを特徴とする請求項１８乃至２０のいずれか１項に記載の電子機器。
【請求項２２】
第１の表示手段の表示面に対するタッチ操作を検出する検出ステップと、
前記第１の表示手段への表示と、第２の表示手段への表示とを切り替える切替ステップと、
前記第１の表示手段に、特定の機能の設定操作を受け付け可能な特定の画面を表示している際に、
前記表示面へのタッチ操作に基づいて前記特定の機能に関して特定の状態に設定し、
前記特定の状態である場合に、前記表示面のうち第１の領域内に対するタッチ操作であるか否かに基づいて、前記第１の領域内に対するタッチ操作に応じて前記特定の状態をキャンセルするように制御し、
前記第２の表示手段に前記特定の画面を表示している際に、
前記表示面へのタッチ操作に基づいて前記特定の状態に設定し、
前記特定の状態である場合に、前記表示面のうち前記第１の領域内に対するタッチ操作であるか否かに関わらず、前記第１の領域よりも広い第２の領域のいずれかの位置に対するタッチ操作に応じて前記特定の状態をキャンセルするように制御する制御ステップと
を有することを特徴とする電子機器の制御方法。
【請求項２３】
操作面に対するタッチ操作を検出する検出ステップと、
前記操作面とは異なる位置に表示を行う表示手段に、特定の機能の設定操作を受け付け可能な特定の画面を表示している際に、
前記操作面のうち特定の領域内に対するタッチ操作に応じて、前記特定の機能に関して特定の状態に設定し、前記操作面のうち前記特定の領域外に対するタッチ操作があっても前記特定の状態に設定せず、
前記特定の状態である場合に、前記操作面のうち前記特定の領域内に対するタッチ操作であるか否かに関わらず、前記特定の領域よりも広い前記第２の領域のいずれかの位置に対するタッチ操作に応じて前記特定の状態をキャンセルするように制御する制御ステップと
を有することを特徴とする電子機器の制御方法。
【請求項２４】
コンピュータを、請求項１乃至２１のいずれか１項に記載された電子機器の各手段として機能させるためのプログラム。
【請求項２５】
コンピュータを、請求項１乃至２１のいずれか１項に記載された電子機器の各手段として機能させるためのプログラムを格納したコンピュータが読み取り可能な記録媒体。